(57)【要約】【課題】録画したコンテンツを迅速に携帯端末に供給できるようにする。【解決手段】記録装置２は、複数の携帯端末１−１乃至携帯端末１−３に対応する個別フォルダ、録画予約表、およびダウンロード時刻を記録している。個別フォルダの記憶領域は、携帯端末１−１乃至携帯端末１−３の記憶容量に合わせられて設定されている。記録装置２は、携帯端末１−１により予約されたコンテンツを録画し、携帯端末１−１のダウンロード時刻が近づいてきた場合、録画したコンテンツを、送信メモリに記憶させ、携帯端末１−１が装着された場合、送信メモリに記憶されているコンテンツを送信する。本発明は、携帯端末に適用できる。【選択図】      図１
2004254143.tif 000002
【特許請求の範囲】
【請求項１】
コンテンツデータを転送する情報処理装置と、前記情報処理装置より転送された前記コンテンツデータを記憶する携帯型情報端末装置からなる情報処理システムにおいて、
前記情報処理装置は、
前記携帯型情報端末装置が装着されたとき、前記携帯型情報端末装置と通信できるように第１の接続部を介して前記携帯型情報端末装置と接続し、
予め取得し、保持部に保持している前記コンテンツデータを第１の記憶部に転送し、
前記第１の記憶部に記憶された前記コンテンツデータを、前記第１の接続部を介して前記携帯型情報端末装置に転送し、
前記携帯型情報端末装置は、
前記情報処理装置に装着されたとき、前記情報処理装置と通信できるように、第２の接続部を介して前記第１の接続部と接続し、
前記情報処理装置に装着されたとき、装着された前記情報処理装置から、前記第１の接続部と前記第２の接続部を介して転送されてきた前記コンテンツデータを第２の記憶部に記憶し、
前記情報処理装置から離脱されたとき、前記第２の記憶部に記憶された前記コンテンツデータを読み出すことを特徴とする情報処理システム。
【請求項２】
前記情報処理装置は、前記コンテンツデータに関する番組の番組情報を前記携帯型情報端末装置にさらに転送し、
前記携帯型情報端末装置は、前記情報処理装置から転送されてきた前記番組情報を前記第２の記憶部にさらに記憶することを特徴とする請求項１に記載の情報処理システム。
【請求項３】
前記携帯型情報端末装置は、
前記番組情報に基づいて、前記番組の録画予約を行なうための予約情報をさらに生成し、
前記情報処理装置に装着されたとき、装着された前記情報処理装置に、前記第２の接続部と前記第１の接続部を介して前記予約情報を転送し、
前記情報処理装置は、装着された前記携帯型情報端末装置から、前記第２の接続部と前記第１の接続部を介して転送されてきた前記予約情報に基づいて、前記番組を録画し、コンテンツデータを前記保持部に保持することを特徴とする請求項２に記載の情報処理システム。
【請求項４】
前記第１の記憶部と第２の記憶部の記憶容量は同じであることを特徴とする請求項１に記載の情報処理システム。
【請求項５】
前記保持部は、複数の前記携帯型情報端末装置のそれぞれの前記第２の記憶部に対応する記憶容量の複数の記憶領域をさらに備えることを特徴とする請求項１に記載の情報処理システム。
【請求項６】
コンテンツデータを転送する情報処理装置と、前記情報処理装置より転送された前記コンテンツデータを記憶する携帯型情報端末装置からなる情報処理システムの情報処理方法において、
前記情報処理装置は、
前記携帯型情報端末装置が装着されたとき、前記携帯型情報端末装置と通信できるように第１の接続部を介して前記携帯型情報端末装置と接続し、
予め取得し、保持部に保持している前記コンテンツデータを第１の記憶部に転送し、
前記第１の記憶部に記憶された前記コンテンツデータを、前記第１の接続部を介して前記携帯型情報端末装置に転送し、
前記携帯型情報端末装置は、
前記情報処理装置に装着されたとき、前記情報処理装置と通信できるように、第２の接続部を介して前記第１の接続部と接続し、
前記情報処理装置に装着されたとき、装着された前記情報処理装置から、前記第１の接続部と前記第２の接続部を介して転送されてきた前記コンテンツデータを第２の記憶部に記憶し、
前記情報処理装置から離脱されたとき、前記第２の記憶部に記憶された前記コンテンツデータを読み出すことを特徴とする情報処理方法。
【請求項７】
コンテンツデータを記憶する携帯型情報端末装置に、前記コンテンツデータを送信する情報処理装置において、
前記携帯型情報端末装置が装着されたとき、前記携帯型情報端末装置と通信できるように前記携帯型情報端末装置と接続する接続手段と、
前記コンテンツデータを予め取得して保持する保持手段と、
予め保持されている前記コンテンツデータを、前記携帯型情報端末装置に転送する前に記憶する記憶手段と、
前記記憶手段に記憶された前記コンテンツデータを、前記接続手段を介して前記携帯型情報端末装置に転送する転送手段とを備えることを特徴とする情報処理装置。
【請求項８】
前記転送手段により、前記コンテンツデータが装着された前記携帯型情報端末装置に転送される予定時刻を設定する時刻設定手段をさらに備え、
前記記憶手段は、前記時刻設定手段により設定された前記予定時刻より前に、前記保持手段により保持されている前記情報を記憶することを特徴とする請求項７に記載の情報処理装置。
【請求項９】
前記転送手段は、前記コンテンツデータに関する番組の番組情報を、装着された前記携帯型情報端末装置に送信するとともに、前記携帯型情報端末装置から送信されてくる前記番組の録画予約を行なうための予約情報をさらに受信し、
前記保持手段は、前記転送手段により受信された前記予約情報に基づいて録画された前記番組に関するコンテンツデータを保持することを特徴とする請求項７に記載の情報処理装置。
【請求項１０】
前記記憶手段の記憶容量は、前記携帯型情報端末装置が有する、前記コンテンツデータを記憶する記憶部の記憶容量と同じであることを特徴とする請求項７に記載の情報処理装置。
【請求項１１】
前記携帯型情報端末装置から前記番組の録画予約を行なうための予約情報が転送されてこない場合、前記保持手段により保持されている前記携帯型情報端末装置が過去に録画予約した前記番組の情報に基づいて、前記予約情報を生成する録画予約情報生成手段をさらに備えることを特徴とする請求項７に記載の情報処理装置。
【請求項１２】
前記保持手段は、複数の前記携帯型情報端末装置がそれぞれ有する記憶部に対応する記憶容量の複数の記憶領域を有することを特徴とする請求項７に記載の情報処理装置。
【請求項１３】
コンテンツデータを記憶する携帯型情報端末装置に、前記コンテンツデータを送信する情報処理装置の情報処理方法において、
前記携帯型情報端末装置が装着されたとき、前記携帯型情報端末装置と通信できるように前記携帯型情報端末装置と接続部を介して接続し、
前記コンテンツデータを予め取得して保持部に保持し、
前記保持部に予め保持されている前記コンテンツデータを、前記携帯型情報端末装置に転送する前に記憶部に転送し、
前記記憶部に記憶された前記コンテンツデータを、前記接続部を介して前記携帯型情報端末装置に転送することを特徴とする情報処理方法。
【請求項１４】
コンテンツデータを記憶する携帯型情報端末装置に、前記コンテンツデータを送信する情報処理装置を制御するプログラムであって、
前記携帯型情報端末装置が装着されたとき、前記携帯型情報端末装置と通信できるように前記携帯型情報端末装置と接続部を介して接続し、
前記コンテンツデータを予め取得して保持部に保持し、
前記保持部に予め保持されている前記コンテンツデータを、前記携帯型情報端末装置に転送する前に記憶部に転送し、
前記記憶部に記憶された前記コンテンツデータを、前記接続部を介して前記携帯型情報端末装置に転送することを特徴とするコンピュータが読み取り可能なプログラムが格納されているプログラム格納媒体。
【請求項１５】
コンテンツデータを記憶する携帯型情報端末装置に、前記コンテンツデータを送信する情報処理装置を制御するプログラムであって、
前記携帯型情報端末装置が装着されたとき、前記携帯型情報端末装置と通信できるように前記携帯型情報端末装置と接続部を介して接続し、
前記コンテンツデータを予め取得して保持部に保持し、
前記保持部に予め保持されている前記コンテンツデータを、前記携帯型情報端末装置に転送する前に記憶部に転送し、
前記記憶部に記憶された前記コンテンツデータを、前記接続部を介して前記携帯型情報端末装置に転送する処理をコンピュータに実行させることを特徴とするプログラム。
【請求項１６】
情報処理装置より送信されたコンテンツデータを記憶する携帯型情報端末装置において、
前記情報処理装置に装着されたとき、前記情報処理装置と通信できるように、前記情報処理装置の接続部と接続する接続手段と、
前記情報処理装置に装着されたとき、装着された前記情報処理装置から、前記接続手段を介して転送されてきた前記コンテンツデータを記憶する記憶手段と、前記情報処理装置から離脱されたとき、前記記憶手段に記憶された前記コンテンツデータを読み出す読み出し手段とを備えることを特徴とする携帯型情報端末装置。
【請求項１７】
前記接続手段を介して前記情報処理装置から転送されてきた前記コンテンツデータに関する番組の番組情報に基づいて、前記番組の録画予約を行なうための予約情報を生成する予約情報生成手段をさらに備え、
前記情報処理装置に装着されたとき、装着された前記情報処理装置に、前記接続手段を介して前記予約情報生成手段により生成された前記予約情報を転送することを特徴とする請求項１６に記載の携帯型情報端末装置。
【請求項１８】
前記コンテンツデータが装着された前記情報処理装置から転送される予定時刻を設定する時刻設定手段をさらに備え、
前記情報処理装置に装着されたとき、前記時刻設定手段により設定された前記予定時刻を前記情報処理装置に転送することを特徴とする請求項１６に記載の携帯型情報端末装置。
【請求項１９】
情報処理装置より送信されたコンテンツデータを記憶する携帯型情報端末装置の情報処理方法において、
前記情報処理装置に装着されたとき、前記情報処理装置と通信できるように、前記情報処理装置の接続部と接続し、
前記情報処理装置の前記接続部に接続されたとき、装着された前記情報処理装置から、前記接続部を介して転送されてきた前記コンテンツデータを記憶部に記憶し、
前記情報処理装置から離脱されたとき、前記記憶部に記憶された前記コンテンツデータを読み出すことを特徴とする情報処理方法。
【請求項２０】
情報処理装置より送信されたコンテンツデータを記憶するプログラムであって、
前記情報処理装置に装着されたとき、前記情報処理装置と通信できるように、前記情報処理装置の接続部と接続し、
前記情報処理装置の前記接続部に接続されたとき、装着された前記情報処理装置から、前記接続部を介して転送されてきた前記コンテンツデータを記憶部に記憶し、
前記情報処理装置から離脱されたとき、前記記憶部に記憶された前記コンテンツデータを読み出すことを特徴とするコンピュータが読み取り可能なプログラムが格納されているプログラム格納媒体。
【請求項２１】
情報処理装置より送信されたコンテンツデータを記憶するプログラムであって、
前記情報処理装置に装着されたとき、前記情報処理装置と通信できるように、前記情報処理装置の接続部と接続し、
前記情報処理装置の前記接続部に接続されたとき、装着された前記情報処理装置から、前記接続部を介して転送されてきた前記コンテンツデータを記憶部に記憶し、
前記情報処理装置から離脱されたとき、前記記憶部に記憶された前記コンテンツデータを読み出す処理をコンピュータに実行させることを特徴とするプログラム。
【発明の詳細な説明】
【０００１】
【発明の属する技術分野】
本発明は、情報処理システムおよび方法、情報処理装置および方法、携帯型情報端末装置および携帯型情報端末装置の情報処理方法、プログラム格納媒体、並びにプログラムに関し、特に、携帯型情報端末装置に、所望の番組を迅速に供給できるようにした情報処理システムおよび方法、情報処理装置および方法、携帯型情報端末装置および携帯型情報端末装置の情報処理方法、プログラム格納媒体、並びにプログラムに関する。
【０００２】
【従来の技術】
近年、ＰＤＡ（Ｐｅｒｓｏｎａｌ  Ｄｉｇｉｔａｌ  Ａｓｓｉｓｔａｎｔ）とパーソナルコンピュータを接続することにより、パーソナルコンピュータの情報をＰＤＡに送信する技術が提案されている。
【０００３】
例えば、特許文献１には、パーソナルコンピュータが受信したコンテンツを、クレードルを介してＰＤＡに送信することが開示されている。
【０００４】
【特許文献１】
特開２００２−２６２２２０号公報
【０００５】
【発明が解決しようとする課題】
しかしながら、特許文献１に記載のシステムでは、パーソナルコンピュータにコンテンツを録画させる場合、ユーザは、ＰＤＡに対して、コンテンツの録画予約をする必要がある上に、パーソナルコンピュータが録画したコンテンツを受信する場合にも、ユーザは、ＰＤＡに対して、コンテンツの要求を指令する必要がある等、操作が面倒であるという課題があった。
【０００６】
本発明はこのような状況に鑑みてなされたものであり、携帯型情報端末装置が所望の番組を迅速に取得できるようにするものである。
【０００７】
【課題を解決するための手段】
本発明の情報処理システムは、コンテンツデータを転送する情報処理装置と、情報処理装置より転送されたコンテンツデータを記憶する携帯型情報端末装置からなる情報処理システムであって、情報処理装置は、携帯型情報端末装置が装着されたとき、携帯型情報端末装置と通信できるように第１の接続部を介して携帯型情報端末装置と接続し、予め取得し、保持部に保持しているコンテンツデータを第１の記憶部に転送し、第１の記憶部に記憶されたコンテンツデータを、第１の接続部を介して携帯型情報端末装置に転送し、携帯型情報端末装置は、情報処理装置に装着されたとき、情報処理装置と通信できるように、第２の接続部を介して第１の接続部と接続し、情報処理装置に装着されたとき、装着された情報処理装置から、第１の接続部と第２の接続部を介して転送されてきたコンテンツデータを第２の記憶部に記憶し、情報処理装置から離脱されたとき、第２の記憶部に記憶されたコンテンツデータを読み出すことを特徴とする。
【０００８】
前記情報処理装置は、コンテンツデータに関する番組の番組情報を携帯型情報端末装置にさらに転送し、携帯型情報端末装置は、情報処理装置から転送されてきた番組情報を第２の記憶部にさらに記憶するようにすることができる。
【０００９】
前記携帯型情報端末装置は、番組情報に基づいて、番組の録画予約を行なうための予約情報をさらに生成し、情報処理装置に装着されたとき、装着された情報処理装置に、第２の接続部と第１の接続部を介して予約情報を転送し、情報処理装置は、装着された携帯型情報端末装置から、第２の接続部と第１の接続部を介して転送されてきた予約情報に基づいて、番組を録画し、コンテンツデータを保持部に保持するようにすることができる。
【００１０】
前記第１の記憶部と第２の記憶部の記憶容量は同じであるようにすることができる。
【００１１】
前記保持部は、複数の携帯型情報端末装置のそれぞれの第２の記憶部に対応する記憶容量の複数の記憶領域をさらに備えるようにすることができる。
【００１２】
本発明の第１の情報処理方法は、コンテンツデータを転送する情報処理装置と、情報処理装置より転送されたコンテンツデータを記憶する携帯型情報端末装置からなる情報処理システムの情報処理方法であって、情報処理装置は、携帯型情報端末装置が装着されたとき、携帯型情報端末装置と通信できるように第１の接続部を介して携帯型情報端末装置と接続し、予め取得し、保持部に保持しているコンテンツデータを第１の記憶部に転送し、第１の記憶部に記憶されたコンテンツデータを、第１の接続部を介して携帯型情報端末装置に転送し、携帯型情報端末装置は、情報処理装置に装着されたとき、情報処理装置と通信できるように、第２の接続部を介して第１の接続部と接続し、情報処理装置に装着されたとき、装着された情報処理装置から、第１の接続部と第２の接続部を介して転送されてきたコンテンツデータを第２の記憶部に記憶し、情報処理装置から離脱されたとき、第２の記憶部に記憶されたコンテンツデータを読み出すことを特徴とする。
【００１３】
本発明の情報処理装置は、携帯型情報端末装置が装着されたとき、携帯型情報端末装置と通信できるように携帯型情報端末装置と接続する接続手段と、コンテンツデータを予め取得して保持する保持手段と、予め保持されているコンテンツデータを、携帯型情報端末装置に転送する前に記憶する記憶手段と、記憶手段に記憶されたコンテンツデータを、接続手段を介して携帯型情報端末装置に転送する転送手段とを備えることを特徴とする。
【００１４】
前記転送手段により、コンテンツデータが装着された携帯型情報端末装置に転送される予定時刻を設定する時刻設定手段をさらに備え、記憶手段は、時刻設定手段により設定された予定時刻より前に、保持手段により保持されている情報を記憶するようにすることができる。
【００１５】
前記転送手段は、コンテンツデータに関する番組の番組情報を、装着された携帯型情報端末装置に送信するとともに、携帯型情報端末装置から送信されてくる番組の録画予約を行なうための予約情報をさらに受信し、保持手段は、転送手段により受信された予約情報に基づいて録画された番組に関するコンテンツデータを保持するようにすることができる。
【００１６】
前記記憶手段の記憶容量は、携帯型情報端末装置が有する、コンテンツデータを記憶する記憶部の記憶容量と同じであるようにすることができる。
【００１７】
前記携帯型情報端末装置から番組の録画予約を行なうための予約情報が転送されてこない場合、保持手段により保持されている携帯型情報端末装置が過去に録画予約した番組の情報に基づいて、予約情報を生成する録画予約情報生成手段をさらに備えるようにすることができる。
【００１８】
前記保持手段は、複数の携帯型情報端末装置がそれぞれ有する記憶部に対応する記憶容量の複数の記憶領域を有するようにすることができる。
【００１９】
本発明の第２の情報処理方法は、コンテンツデータを記憶する携帯型情報端末装置に、コンテンツデータを送信する情報処理装置の情報処理方法であって、携帯型情報端末装置が装着されたとき、携帯型情報端末装置と通信できるように携帯型情報端末装置と接続部を介して接続し、コンテンツデータを予め取得して保持部に保持し、保持部に予め保持されているコンテンツデータを、携帯型情報端末装置に転送する前に記憶部に転送し、記憶部に記憶されたコンテンツデータを、接続部を介して携帯型情報端末装置に転送することを特徴とする。
【００２０】
本発明の第１のプログラム格納媒体に格納されているプログラムは、携帯型情報端末装置が装着されたとき、携帯型情報端末装置と通信できるように携帯型情報端末装置と接続部を介して接続し、コンテンツデータを予め取得して保持部に保持し、保持部に予め保持されているコンテンツデータを、携帯型情報端末装置に転送する前に記憶部に転送し、記憶部に記憶されたコンテンツデータを、接続部を介して携帯型情報端末装置に転送することを特徴とする。
【００２１】
本発明の第１のプログラムは、携帯型情報端末装置が装着されたとき、携帯型情報端末装置と通信できるように携帯型情報端末装置と接続部を介して接続し、コンテンツデータを予め取得して保持部に保持し、保持部に予め保持されているコンテンツデータを、携帯型情報端末装置に転送する前に記憶部に転送し、記憶部に記憶されたコンテンツデータを、接続部を介して携帯型情報端末装置に転送する処理をコンピュータに実行させることを特徴とする。
【００２２】
本発明の携帯型情報端末装置は、情報処理装置に装着されたとき、情報処理装置と通信できるように、情報処理装置の接続部と接続する接続手段と、情報処理装置に装着されたとき、装着された情報処理装置から、接続手段を介して転送されてきたコンテンツデータを記憶する記憶手段と、情報処理装置から離脱されたとき、記憶手段に記憶されたコンテンツデータを読み出す読み出し手段とを備えることを特徴とする。
【００２３】
前記接続手段を介して情報処理装置から転送されてきたコンテンツデータに関する番組の番組情報に基づいて、番組の録画予約を行なうための予約情報を生成する予約情報生成手段をさらに備え、情報処理装置に装着されたとき、装着された情報処理装置に、接続手段を介して予約情報生成手段により生成された予約情報を転送するようにすることができる。
【００２４】
前記コンテンツデータが装着された情報処理装置から転送される予定時刻を設定する時刻設定手段をさらに備え、情報処理装置に装着されたとき、時刻設定手段により設定された予定時刻を情報処理装置に転送するようにすることができる。
【００２５】
本発明の第３の情報処理方法は、情報処理装置より送信されたコンテンツデータを記憶する携帯型情報端末装置の情報処理方法であって、情報処理装置に装着されたとき、情報処理装置と通信できるように、情報処理装置の接続部と接続し、情報処理装置の接続部に接続されたとき、装着された情報処理装置から、接続部を介して転送されてきたコンテンツデータを記憶部に記憶し、情報処理装置から離脱されたとき、記憶部に記憶されたコンテンツデータを読み出すことを特徴とする。
【００２６】
本発明の第２のプログラム格納媒体に格納されているプログラムは、情報処理装置に装着されたとき、情報処理装置と通信できるように、情報処理装置の接続部と接続し、情報処理装置の接続部に接続されたとき、装着された情報処理装置から、接続部を介して転送されてきたコンテンツデータを記憶部に記憶し、情報処理装置から離脱されたとき、記憶部に記憶されたコンテンツデータを読み出すことを特徴とする。
【００２７】
本発明の第２のプログラムは、情報処理装置に装着されたとき、情報処理装置と通信できるように、情報処理装置の接続部と接続し、情報処理装置の接続部に接続されたとき、装着された情報処理装置から、接続部を介して転送されてきたコンテンツデータを記憶部に記憶し、情報処理装置から離脱されたとき、記憶部に記憶されたコンテンツデータを読み出す処理をコンピュータに実行させることを特徴とする。
【００２８】
本発明の情報処理システムおよび第１の情報処理方法においては、情報処理装置に携帯型情報端末装置が装着されたとき、前記情報処理装置に予め取得され、保持されているコンテンツデータが第１の記憶部に転送され、携帯型情報端末装置に転送される。そして、携帯型情報端末装置で、コンテンツデータが記憶され、情報処理装置から離脱されたとき、コンテンツデータが読み出される。
【００２９】
本発明の情報処理装置および第２の情報処理方法、第１のプログラムプログラム格納媒体、並びにプログラムにおいては、予め取得されて保持されているコンテンツデータが、携帯型情報端末装置に転送される前に記憶され、携帯型情報端末装置が装着されたとき、記憶されたコンテンツデータが、携帯型情報端末装置に転送される。
【００３０】
本発明の携帯型情報端末装置および第３の情報処理方法、第２のプログラム格納媒体、並びにプログラムにおいては、情報処理装置に装着されたとき、装着された情報処理装置から転送されてきたコンテンツデータが記憶され、情報処理装置から離脱されたとき、記憶されたコンテンツデータが読み出される。
【００３１】
【発明の実施の形態】
以下、図を参照して、本発明の実施の形態について説明する。
【００３２】
図１は、本発明を適用した番組データ取得システムの一実施の形態の構成例を示す図である。
【００３３】
携帯端末１−１乃至携帯端末１−３は、記録装置２に装着可能に構成されており、記録装置２に装着された場合、装着された携帯端末１−１乃至携帯端末１−３との間で情報を授受する。記録装置２は、ベースステーションとしての機能を備えている。携帯端末１−１乃至携帯端末１−３は、例えば、父、母、子供が、それぞれ専用に使用する。
【００３４】
携帯端末１−１乃至携帯端末１−３には、それぞれ接続部１−１−Ａ乃至接続部１−３−Ａが設けられており、記録装置２には接続部２−Ａが設けられている。以下、携帯端末１−１乃至携帯端末１−３を個々に区別する必要がない場合、単に携帯端末１と称し、接続部１−１−Ａ乃至接続部１−３−Ａを個々に区別する必要がない場合、単に接続部１−Ａと称する。
【００３５】
携帯端末１が記録装置２に装着されたとき、携帯端末１の接続部１−Ａと記録装置２の接続部２−Ａが相互に接続され、そこを介して通信が行なわれる。
【００３６】
記録装置２は、インターネット４を介して、番組情報提供装置６から、電子番組表（ＥＰＧ（Ｅｌｅｃｔｒｏｎｉｃ  Ｐｒｏｇｒａｍ  Ｇｕｉｄｅ）情報）を取得して記録する他、アンテナ３を介して、放送局（例えば、テレビジョン放送局）５により送信された電波を受信し、所定の画像および音声（いわゆる、番組の画像および音声）を再生し、その画像および音声（コンテンツ）を記録する。なお、記録装置２が、アンテナ３を介して、放送局から電子番組表（ＥＰＧ（Ｅｌｅｃｔｒｏｎｉｃ  Ｐｒｏｇｒａｍ  Ｇｕｉｄｅ）情報）を取得するようにしてもよい。
【００３７】
携帯端末１が記録装置２に装着された場合、記録装置２の接続部２−Ａと携帯端末１の接続部１−Ａの間で情報の授受が行なわれる。例えば、記録装置２は、携帯端末１の要求に基づいて、ＥＰＧ情報等よりなる番組情報を供給する。携帯端末１は、番組情報に基づいて、所定の番組の録画予約を行ない、再び記録装置２に装着されたとき、録画予約情報を記録装置２に供給する。記録装置２は、録画予約情報に基づいて、録画処理を実行し、携帯端末１が装着されたとき、録画した番組（コンテンツ）を携帯端末１に供給する。これらの情報の授受は、記録装置２の接続部２−Ａと携帯端末１の接続部１−Ａを介して行なわれる。
【００３８】
番組情報提供装置６は、その内部に構築されているデータベースに、ＥＰＧ情報を記録しており、記録装置２から定期的に送信されてくるＥＰＧ情報の送信を要求するメッセージを受信した場合、インターネット４を介して、対応するＥＰＧ情報を、記録装置２に送信する。
【００３９】
インターネット５にはまた、図示せぬ多数のＷＷＷ（Ｗｏｒｌｄ  Ｗｉｄｅ  Ｗｅｂ）サーバが接続されている。図示せぬＷＷＷサーバは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルに従って、記録装置２または携帯端末１からアクセスされる。
【００４０】
図２は、図１の携帯端末１の内部の構成例を示すブロック図である。
【００４１】
携帯端末１には、ＭＰＵ（Ｍｉｃｒｏ  Ｐｒｏｃｅｓｓｉｎｇ  Ｕｎｉｔ）５１、メモリコントローラ５２、操作部５３、ＲＡＭ（Ｒａｎｄｏｍ  Ａｃｃｅｓｓ  Ｍｅｍｏｒｙ）５４、携帯端末記憶媒体５５、伝送インターフェース５６、ＲＯＭ（Ｒｅａｄ  Ｏｎｌｙ  Ｍｅｍｏｒｙ）５７、ディスプレイ５８、およびスピーカ５９が設けられている。
【００４２】
ＭＰＵ５１は、ＲＯＭ５７から読み出され、ＲＡＭ５４に格納されたオペレーティングシステム、またはアプリケーションプログラムなどの各種のプログラムを実行する。
【００４３】
メモリコントローラ５２は、ＭＰＵ５１の指令に基づいて、携帯端末記憶媒体５５への記憶を制御する。携帯端末記憶媒体５５は、ＩＣ（Ｉｎｔｅｇｒａｔｅｄ  Ｃｉｒｃｕｉｔ）メモリ、小型のハードディスクなどで構成される。
【００４４】
操作部５３は、ＭＰＵ５１に各種の指令を入力するとき、ユーザにより操作される。ＲＡＭ５４は、ＭＰＵ５１が実行するプログラムや、プログラムの実行に必要なデータ、あるいは、その実行において適宜変化するパラメータを格納する。ＲＯＭ５７は、ＭＰＵ５１が使用するプログラムや演算用のパラメータのうちの基本的に固定のデータを格納する。
【００４５】
伝送インターフェース５６は、携帯端末１が記録装置２に装着されたとき、後述する記録装置２との間の通信を行なうためのインターフェースであり、接点１−Ａを介して通信を行なう。この通信は、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ）１３９４の規格に基づく通信とされる。
【００４６】
また、伝送インターフェースによる通信は、光通信や赤外線通信等でもよいし、記録装置２に携帯端末１が装着（接続部２−Ａと接続部１−Ａが接続）されなくとも、所定の位置にセットされたとき、通信を行なうようにしてもよい。さらに、無線通信でも有線による通信でもよい。
【００４７】
携帯端末記憶媒体５５は、接点２−Ａおよび接点１−Ａを介して記録装置２から送信されてきたコンテンツを記憶する。
【００４８】
ディスプレイ５８は、ＭＰＵ５１からデータを受信し、受信したデータに対応する画像または文字などを表示する。スピーカ５９は、ＭＰＵ５１からら音声のデータを受信し、受信した音声のデータを再生して、データに対応する音声を出力する。
【００４９】
図３は、携帯端末１の機能的構成を示す機能ブロック図である。
【００５０】
入出力管理プログラム８１は、操作部５３を用いて、ユーザが入力した操作、または命令を示す信号を、対応するアプリケーションに供給したり、ＭＰＵ５１が実行しているアプリケーションの処理に基づいて、所定のデータを、ディスプレイ５８に出力して、画像を表示させたり、スピーカ５９に出力して、音声を再生させたりする処理を制御する。また、入出力管理プログラム８１は、ＭＰＵ５１が実行しているアプリケーション、例えば、番組録画設定プログラム８２において、伝送インターフェース５６および接続部１−Ａを介して、記録装置２と情報の通信を行なう場合に、その通信を制御する。
【００５１】
番組録画設定プログラム８２は、記録装置２に装着されたとき、記録装置２から供給されるＥＰＧ情報を受信し、ＥＰＧ情報メモリ８３に記憶させるプログラムである。また、番組録画設定プログラム８２は、ユーザの操作によって、ＥＰＧ情報メモリ８３に記憶されているＥＰＧ情報から、所望の番組の録画予約を行なうための番組情報が選択されると、選択された番組情報を予約情報として録画予約メモリ８４に記憶させたり、録画予約メモリ８４に記憶されている予約情報、ＥＰＧ情報メモリ８３に記憶されている番組情報、設定情報メモリ８５に記憶されているユーザ情報（携帯端末１のＩＤを含む情報）、もしくは、コンテンツメモリ８６に記憶されているコンテンツをディスプレイ５８に表示させる。
【００５２】
さらに、番組録画設定プログラム８２は、記憶装置２に装着されたとき、記録装置２から供給されるコンテンツを記憶し、コンテンツメモリ８６に記憶させるプログラムである。また、番組録画設定プログラム８２は、ユーザの操作に基づいて、ＥＰＧ情報メモリ８３乃至コンテンツメモリ８６に新たな情報を記憶または設定したり、記憶または設定されている情報を更新する処理を実行する。以上のアプリケーションプログラムは、ＭＰＵ５１により実行される。
【００５３】
図４は、記録装置２の内部の構成例を示すブロック図である。
【００５４】
記録装置２には、ＭＰＵ（Ｍｉｃｒｏ  Ｐｒｏｃｅｓｓｉｎｇ  Ｕｎｉｔ）１０１、記録媒体１０２、Ｉ（Ｉｎｐｕｔ）／Ｏ（Ｏｕｔｐｕｔ）コントローラ１０３、チューナビデオキャプチャ１０４、外部通信インターフェース１０５、送信メモリ１０６、および伝送インターフェース１０７が備えられ、これらは、バス１００により相互に接続されている。
【００５５】
ＭＰＵ１０１は、各種アプリケーションプログラムや、基本的なＯＳ（ｏｐｅｒａｔｉｎｇ
ｓｙｓｔｅｍ）を実際に実行する。
【００５６】
記録媒体１０２は、小型のハードディスクにより構成される。なお、ＩＣ（Ｉｎｔｅｇｒａｔｅｄ  Ｃｉｒｃｕｉｔ）メモリ等の記憶媒体としてもよい。
【００５７】
チューナビデオキャプチャ１０４は、Ｉ／Ｏコントローラ１０３を介するＭＰＵ１０１の制御の下、アンテナ３から供給された信号（コンテンツ、および、ＥＰＧ情報に対応する信号）、外部入力される画像または音声のアナログ信号、もしくは、デジタルデータに基づいて、所定の画像または音声のデータを生成し、バス１００およびＩ／Ｏコントローラ１０３を介して記録媒体１０２に出力する。
【００５８】
外部通信インターフェース１０５は、インターネット４、または図示せぬ公衆回線網等と接続するためのインターフェースであり、バス１００、およびＩ／Ｏコントローラ１０３を介してＭＰＵ１０１に接続されている。外部通信インターフェース１０５は、ＭＰＵ１０１の制御に基づいて、インターネット４を介して、番組情報提供装置６からＥＰＧ情報を定期的に受信する。
【００５９】
送信メモリ１０６は、例えば、ＤＲＡＭとされ、Ｉ／Ｏコントローラ１０３を介するＭＰＵ１０１の制御の下、記録媒体１０２から読み出されたＥＰＧ情報、またはコンテンツ等を記憶する。
【００６０】
伝送インターフェース１０７は、携帯端末１の伝送インターフェース５６と接続するためのインターフェースであり、バス１００、およびＩ／Ｏコントローラ１０３を介してＭＰＵ１０１に接続されている。また、伝送インターフェース１０７には、接点２−Ａが接続されており、記録装置２に携帯端末１が装着された場合、記録装置２の接点２−Ａおよび携帯端末１の接点１−Ａを介して、情報を授受する。伝送インターフェース１０７は、接点２−Ａを介して、送信メモリ１０６に記憶されている情報を送信する他、記録媒体１０２に記録されているＥＰＧ情報情報を送信する。
【００６１】
操作部１０８は、ＭＰＵ１０１に各種の指令を入力するとき、ユーザにより操作される。表示部１０９は、ＭＰＵ５１からデータを受信し、受信したデータに対応する画像または文字などを表示する。
【００６２】
バス１００にはまた、必要に応じてドライブ１１０が接続され、磁気ディスク、光ディスク、光磁気ディスク、あるいは半導体（ＩＣ）メモリなどよりなるリムーバブルメディア１２１が適宜装着され、それから読み出されたコンピュータプログラムが、必要に応じてＩ／Ｏコントローラ１０３を介して記録媒体１０２にインストールされる。
【００６３】
図５は、記録装置２の機能的構成を示す機能ブロック図である。
【００６４】
入出力管理プログラム１３１は、伝送インターフェース１０７（および接点２−Ａ）を介して入力された命令（情報の要求）を示す信号を、対応するアプリケーションに供給したり、各種アプリケーションの処理に基づいて、所定のデータを送信メモリ１０６に供給して、そこに記憶させたり、送信メモリ１０６に記憶されている所定のデータを伝送インターフェース１０７に出力して、対応するデータ（例えば、コンテンツデータ）を携帯端末１に送信させたり、画像データをチューナビデオキャプチャ１０４に出力して、所定の画像処理を実行させたり、所定のデータを記録媒体１０２に供給して、そこに記録させる処理を管理するプログラムである。また、入出力管理プログラム１３１は、操作部１０８を用いて、ユーザが入力した操作、または命令を示す信号を、対応するアプリケーションに供給したり、ＭＰＵ１０１が実行しているアプリケーションの処理に基づいて、所定のデータを、表示部１０９に出力して、画像を表示させる処理を制御する。
【００６５】
コンテンツ管理検索プログラム１３２は、入出力管理プログラム１３１の処理により携帯端末１から送信された指令（要求）に対応する信号の供給を受け、その信号を基に、対応するコンテンツを記録媒体１０２から検索するプログラムである。また、コンテンツ管理検索プログラム１３２入出力管理プログラム１３１の処理により記録媒体１０２から読み出されたコンテンツを管理したり、ユーザ（携帯端末１のユーザ）の好みのジャンルや優先順位に基づいて、コンテンツを検索する。
【００６６】
録画予約設定プログラム１３３は、入出力管理プログラム１３１の処理により携帯端末１から送信された指令（要求）に対応する信号の供給を受け、その信号を基に、所定の放送チャンネルの所定の番組の録画予約を設定したり、記録媒体１０２に記録されている携帯端末１の情報に基づいて、所定の放送チャンネルの所定の番組の録画予約を設定するプログラムである。
【００６７】
ＥＰＧ情報管理検索プログラム１３４は、入出力管理プログラム１３１の処理により携帯端末１から送信された指令（要求）に対応する信号の供給を受け、その信号を基に、番組情報提供装置６に対して、ＥＰＧ情報を要求するプログラムである。
【００６８】
録画再生プログラム１３５は、録画予約設定プログラム１３３により録画予約された番組を録画し、記憶して、記憶したコンテンツを入出力管理プログラム１３１に供給し、記録媒体１０２に記録させる。なお、これらのアプリケーションプログラムは、ＭＰＵ１０１により実行される。
【００６９】
図６は、図５の記録媒体１０２に記録される情報の例を説明する図である。
【００７０】
図６の例の場合、記録媒体１０２には、録画予約情報フォルダ１８０、個別フォルダ１８１−１乃至１８１−３、全体フォルダ１８２、およびＥＰＧ情報フォルダ１８３が記録されている。個別フォルダ１８１−１乃至１８１−３は、携帯端末１−１乃至１−３に対応しており、それぞれに供給するためのコンテンツ、およびＩＤが記録されている。また、個別フォルダ１８１−１乃至１８１−３の記録領域、並びに、携帯端末１−１乃至携帯端末１−３の携帯端末記憶媒体５５の記憶容量は、それぞれ同じとなるように設定されている。
【００７１】
具体的には、携帯端末１−１から送信された録画予約情報に基づいて、録画されたコンテンツ（番組）は、個別フォルダ１８１−１に記録され、携帯端末１−２からの録画予約情報に基づいて録画されたコンテンツは、個別フォルダ１８１−２に記録され、携帯端末１−３からの録画予約情報に基づいて録画されたコンテンツは、個別フォルダ１８１−３に記録される。また、個別フォルダ１８１−１の記録領域は、携帯端末１−１の携帯端末記憶媒体５５の記憶容量と同じとされ、個別フォルダ１８１−２の記録領域は、携帯端末１−２の携帯端末記憶媒体５５の記憶容量と同じとされ、個別フォルダ１８１−３の記録領域は、携帯端末１−３の携帯端末記憶媒体５５の記憶容量と同じとされる。
【００７２】
すなわち、記録媒体１０２は、複数の携帯端末１のそれぞれの携帯端末記憶媒体５５に対応する記憶容量の複数の記憶領域（個別フォルダ１８１−ｉ）を備えている。
【００７３】
録画予約情報フォルダ１８０は、携帯端末１−１乃至１−３の要求に基づいて取得した録画予約情報、過去の録画情報、および全体フォルダ１８０に記録されているコンテンツに関する情報が記録されている。
【００７４】
ＥＰＧ情報フォルダ１８３には、番組情報提供装置６から取得したＥＰＧ情報、および、記録媒体１０２に記録されているコンテンツに関するＥＰＧ情報が記録されている。
【００７５】
また、いまの例の場合、個別フォルダ１８１−１には、コンテンツＰ１，Ｐ５，およびＰ１０が記録されており、個別フォルダ１８１−２には、コンテンツＰ５，およびＰ７が記録されており、個別フォルダ１８１−３には、コンテンツＰ１，Ｐ３，Ｐ６，およびＰ９が記録されており、全体フォルダ１８２には、Ｐ２，Ｐ４，Ｐ８，Ｐ１１，およびＰ１２が記録されている。すなわち、全体フォルダ１８２には、コンテンツのうち、個別フォルダ１８１−１乃至１８１−３に含まれないコンテンツが記録されている。
【００７６】
また、記録媒体１０２に記録される情報は、このような形態に限らず、図７に示されるようにすることもできる。
【００７７】
図７の例の場合、記録媒体１０２には、携帯端末１−１から送信された録画予約情報に基づいて、録画したコンテンツ（番組）にリンクするフラグが個別フォルダ１８１−１に記録され、携帯端末１−２からの録画予約情報に基づいて録画したコンテンツにリンクするフラグが、個別フォルダ１８１−２に記録され、携帯端末１−３からの録画予約情報に基づいて録画したコンテンツにリンクするフラグが、個別フォルダ１８１−３に記録され、全体フォルダ１８２には、これらのフラグにリンクするコンテンツが記録されている。
【００７８】
具体的には、図７の例の場合、個別フォルダ１８１−１には、フラグＦ１，Ｆ５，およびＦ１０が記録されており、個別フォルダ１８１−２には、フラグＦ５，およびＦ７が記録されており、個別フォルダ１８１−３には、フラグＦ１，Ｆ３，Ｆ６，およびＦ９が記録されており、全体フォルダ１８２には、コンテンツＰ１乃至Ｐ１２が記録されている。すなわち、全体フォルダ１８２には、全てのコンテンツが記録されており、コンテンツＰ１乃至Ｐ１２は、フラグＦ１乃至Ｆ１２にそれぞれ対応している。
【００７９】
従って、例えば、個別フォルダ１８１−１のフラグＦ１が選択された場合、読み出されるコンテンツは、全体フォルダ１８２のコンテンツＰ１とされる。このような構成にした場合、図６のように、それぞれの個別フォルダにコンテンツを記録する場合に較べて、記録媒体１０２全体の容量を抑えることができるという利点があるが、図６のような構成にした場合、図７のようにそれぞれのフラグとのリンクの確立などの処理を余分に実行する必要がある。
【００８０】
このように構成される場合、個別フォルダ１８１−１乃至１８１−３の記録領域の容量は、携帯端末１−１乃至１−３の携帯端末記憶媒体５５の記憶容量より小さくすることができる。
【００８１】
以下、個別フォルダ１８１−１乃至１８１−３を個々に区別する必要がない場合、単に個別フォルダ１８１と称する。
【００８２】
また、以下の処理では、記録媒体１０２は図６に示される構成として説明する。
【００８３】
記録装置２が、ＥＰＧ情報を取得するには２通りの方法がある。１つは、アンテナ３を介して放送局５からＥＰＧ情報を取得する方法であり、もう１つは、インターネット４を介して、番組情報提供装置６に直接接続してＥＰＧ情報を取得する方法である。ここでは、記録装置２が、インターネット４を介して番組情報提供装置６からＥＰＧ情報を取得する方法を、図８と図９のフローチャートを参照して説明する。
【００８４】
最初に、図８のフローチャートを参照して、記録装置２におけるＥＰＧ情報取得処理を説明する。なお、この処理は、記録装置２の電源がオンされたとき開始され、定期的に実行される。
【００８５】
ステップＳ１において、ＥＰＧ情報管理検索プログラム１３４の指令に基づいて、外部通信インターフェース１０５は、インターネット４に接続し、番組情報提供装置６にＥＰＧ情報を要求する。
【００８６】
これに対して、番組情報提供装置６は、ＥＰＧ情報をインターネット４を介して提供してくる（後述する図９のステップＳ３２の処理）。
【００８７】
そこで、ステップＳ２において、外部通信インターフェース１０５は、インターネット４を介して番組情報提供装置６からＥＰＧ情報を受信する。ＥＰＧ情報は、入出力管理プログラム１３１の制御に基づいて、記録媒体１０２のＥＰＧ情報フォルダ１８３に記録される。
【００８８】
ステップＳ３において、ＥＰＧ情報管理検索プログラム１３４は、前回の取得（ステップＳ２）から所定の日時が経過したか否かを判定し、所定の日時が経過するまで待機する。例えば、ステップＳ２により取得されたＥＰＧ情報が３日分のＥＰＧ情報とされる場合、ＥＰＧ情報管理検索プログラム１３４は、前回のＥＰＧ情報の取得から２日間が経過したか否かを判定し、２日間が経過するまで待機する。
【００８９】
前回の取得（ＥＰＧ情報の取得）から所定の日時が経過した場合、処理はステップＳ１に戻り、それ以降の処理が繰り返される。すなわち、再び、新たなＥＰＧ情報が取得される。
【００９０】
このように、記録装置２は、定期的にＥＰＧ情報を取得し、記録する。
【００９１】
次に、図８の記録装置２の処理に対応する、番組情報提供装置６におけるＥＰＧ情報提供処理を、図９のフローチャートを参照して説明する。
【００９２】
ステップＳ３１において、番組情報提供装置６は、記録装置２からインターネット４を介してＥＰＧ情報の要求がされたか否か（図８のステップＳ１に対応する処理）を判定し、ＥＰＧ情報が要求されるまで待機する。
【００９３】
記録装置２からＥＰＧ情報の要求がされたと判定された場合、ステップＳ３２において、番組情報提供装置６は、ＥＰＧ情報をインターネット４を介して提供する。ステップＳ３１において、記録装置２からＥＰＧ情報が要求されていないと判定された場合、またはステップＳ３２の処理の後、処理はステップＳ３１に戻り、それ以降の処理が繰り返される。
【００９４】
図８と図９の処理により、記録装置２が番組情報提供装置６からＥＰＧ情報を取得することができる。
【００９５】
次に、図１０と図１１のフローチャートを参照して、携帯端末１が記録装置２に記録されているＥＰＧ情報を取得する処理を説明する。これらの処理は、上述した図８と図９の処理が実行された後に行なわれる処理である。最初に、図１０のフローチャートを参照して、携帯端末１における、ＥＰＧ情報取得処理について説明する。なお、この処理は、携帯端末１のユーザによりＥＰＧ情報の表示が指令されたとき開始される。
【００９６】
ステップＳ６１において、操作部５３は、ユーザからのＥＰＧ情報の表示の指令を受け付ける。ユーザは、例えば、番組の録画予約をするとき、ＥＰＧ情報の表示を指令する。入出力管理プログラム８１は、操作部５３に入力された指令に対応する信号を、番組録画設定プログラム８２に供給する。
【００９７】
ステップＳ６２において、番組録画設定プログラム８２は、ＥＰＧ情報メモリ８３に、有効なＥＰＧ情報が記憶されているか否かを判定する。ＥＰＧ情報は、携帯端末１が、記録装置２に装着された場合、記録装置２から供給されてくるものであり、携帯端末１が、定期的に取得してはいない。そのため、ＥＰＧ情報メモリ８３には、過去のＥＰＧ情報が記憶されていることがある。
【００９８】
ステップＳ６２において、有効なＥＰＧ情報が記憶されていないと判定された場合、ステップＳ６３において、入出力管理プログラム８１は、ディスプレイ８３に、記録装置２への装着を促すメッセージを表示させる。ディスプレイ５８には、例えば、図１２に示されているように、ベースステーション（記録装置２）への装着を促すメッセージが記載されたウィンドウ２１１が表示される。ウィンドウ２１１を確認したユーザは、ベースステーションとしての記録装置２に携帯端末１を装着することにより、ＥＰＧ情報（番組情報）を取得することができる。
【００９９】
ステップＳ６４において、入出力管理プログラム８１は、接点１−Ａが記録装置２の接点２−Ａと接続されたか否か（携帯端末１が記録装置２に装着されたか否か）を判定する。接点１−Ａと接点２−Ａが接続されていないと判定された場合、ステップＳ６３に戻り、再び、記録装置２への装着を促すメッセージがディスプレイ５８に表示され、携帯端末１が記録装置２に装着されるまで処理は繰り返される。
【０１００】
ステップＳ６４において接点が接続されていると判定された場合、ステップＳ６５において、入出力管理プログラム８１は、伝送インターフェース５６、接点１−Ａ、および接点２−Ａを介して、記録装置２に接続する。
【０１０１】
ステップＳ６６において、番組録画設定プログラム８２は、入出力管理プログラム８１に指令し、入出力管理プログラム８１は、伝送インターフェース５６（および接点１−Ａ）を介して記録装置２にＥＰＧ情報の送信を要求する。これに対応して、記録装置２は、ＥＰＧ情報を送信してくる（後述する図１１のステップＳ９３）。
【０１０２】
そこでステップＳ６７において、入出力管理プログラム８１は、伝送インターフェース５６（および接点１−Ａ）を介して、ＥＰＧ情報を受信し、番組録画設定プログラム８２は、ＥＰＧ情報を、ＥＰＧ情報メモリ８３に供給し、記憶させる。
【０１０３】
ステップＳ６８において、入出力管理プログラム８１は、記録装置２との間の接続を切断する。なお、この接続の切断は、ユーザにより、実質的に切断される（記録装置２から携帯端末１が離脱される）ことによっても、実現される。
【０１０４】
ステップＳ６２において、有効なＥＰＧ情報があると判定された場合、またはステップＳ６８の後、処理はステップＳ６９に進み、入出力管理プログラム８１は、番組録画設定プログラム８３の指令に基づいて、ディスプレイ５８にＥＰＧ情報に基づく番組表を表示させる。このとき、ディスプレイ５８には、図１３に示されるような表示がなされる。
【０１０５】
図１３の例においては、ディスプレイ５８には、番組表２８１、タグ２８２、およびジャンルボタン２８３が表示される。番組表２８１には、チャンネル２８４、日付２８５、および時間２８６が表示される。タグ２８２には、現在時刻（ここでは２１：２２）が表示されている。
【０１０６】
タグ２８２が選択された場合、ディスプレイ５８には、図１４に示されるように、予約表タグ２９１、ダウンロード時刻タグ２９２、およびコンテンツ再生タグ２９３が表示される。ユーザにより予約表タグ２９１が選択された場合、後述する図２０に示されるような予約表画面が表示され、ユーザによりダウンロード時刻タグ２９２が選択された場合、後述する図１７に示されるようなダウンロード時刻設定画面が表示され、ユーザによりコンテンツ再生タグ２９３が選択された場合、後述する図２９に示されるようなコンテンツデータ再生画面が表示される。
【０１０７】
ディスプレイ５８に表示されている番組表２８１の、チャンネル２８４（図１３）が選択された場合、チャンネル一覧が表示される（図示せず）ので、ユーザは、表示されたチャンネル一覧のうち、ディスプレイ５８に表示させたいチャンネルを選択することができる。
【０１０８】
ディスプレイ５８に表示されている番組表２８１の日付２８５（図１３）が選択された場合、現在、ＥＰＧ情報メモリ８３に記録されているＥＰＧ情報の日付の一覧が表示されている日付一覧が表示される（図示せず）ので、ユーザは、表示された日付一覧のうち、ディスプレイ５８に番組表を表示させたい日付を選択することができる。
【０１０９】
ディスプレイ５８に表示されている番組表２８１の時間２８６（図１３）が選択された場合、ディスプレイ５８に表示される番組表の表示開始時刻を設定するためのリストボックスが表示される（図示せず）ので、ユーザは、リストボックスから、番組を調べたい時間に対応するものを選択することができる。
【０１１０】
また、このように番組を指定する他に、好みのジャンルを選択することができる。
【０１１１】
ジャンルボタン２８３が選択された場合、ディスプレイ５８には、後述する図２１に示されるようなジャンル選択画面が表示されるので、ユーザは、ＥＰＧ情報を参照して、番組の録画予約をしなくても、録画する番組に関する好みのジャンルを設定することができる。
【０１１２】
次に、図１０の携帯端末１のＥＰＧ情報取得処理に対応する、記録装置２におけるＥＰＧ情報提供処理を、図１１のフローチャートを参照して説明する。
【０１１３】
ステップＳ９１において、記録装置２の伝送インターフェース１０７は、接点２−Ａ、および接点１−Ａを介する、携帯端末１からの接続（図１０のステップＳ６５）を受け付ける。
【０１１４】
ステップＳ９２において、伝送インターフェース１０７は、携帯端末１からのＥＰＧ情報の要求を受け付け、入出力管理プログラム１３１は、要求に対応する信号をＥＰＧ情報管理検索プログラム１３４に供給する。
【０１１５】
ステップＳ９３において、入出力管理プログラム１３１は、要求されたＥＰＧ情報を、ＥＰＧ情報管理検索プログラム１３４からの指令に基づいて、記録媒体１０２（記録媒体１０２のＥＰＧ情報フォルダ１８３）から取得し、取得したＥＰＧ情報を伝送インターフェース１０７に供給する。伝送インターフェース１０７は、このＥＰＧ情報を、接点２−Ａを介して携帯端末１に送信する。また、ＥＰＧ情報管理検索プログラム１３４は、記録装置２に既に記録されている番組（コンテンツ）であって、まだ携帯端末１によりダウンロードされていない番組（コンテンツ）があった場合、携帯端末１のユーザが日常ダウンロードしている番組であって、今回携帯端末１がダウンロードできなかった番組、または、携帯端末１のユーザが過去に録画予約を行なったコンテンツのジャンルの中であって、記録されているコンテンツ、などの番組リストや冒頭の映像から作成されたサムネイルなどを、記録されている番組の情報として、携帯端末１に送信するように入出力管理プログラム１３１に指令し、接点２−Ａ、および接点１−Ａを介して送信させる。
【０１１６】
図１０と図１１の処理により、携帯端末１のＥＰＧ情報メモリ８３には、ＥＰＧ情報が記録される。
【０１１７】
なお、携帯端末１は、記録装置２により録画されたコンテンツを、記録装置２からダウンロード（受信）する時刻（ダウンロード時刻）を、あらかじめ設定することができる。以下、この処理について説明する。
【０１１８】
図１５と図１６は、携帯端末１と記録装置２の間におけるダウンロード時刻設定処理を説明するフローチャートである。最初に図１５を参照して、携帯端末１におけるダウンロード時刻設定処理を説明する。なお、この処理は、図１４に示される画面において、ダウンロード時刻タグ２９２が選択されたとき開始される。
【０１１９】
ステップＳ１３１において、入出力管理プログラム８１は、操作部５３から入力されるユーザの操作、いまの場合、ダウンロード時刻タグ２９２の選択の操作を受け付ける。具体的には、図１４に示される画面において、ダウンロード時刻タグ２９２の項目の選択を受け付ける。
【０１２０】
ステップＳ１３２において、入出力管理プログラム８１は、図１７に示されるような時刻選択画面をディスプレイ５８に出力して、表示させる。ディスプレイ５８には、ダウンロード時刻２９５、ＯＫボタン２９６、およびキャンセルボタン２９７が表示されている。ユーザは、コンテンツをダウンロードする予定の時刻であるダウンロード時刻を設定し、設定した時刻が正しい場合には、ＯＫボタン２９６を選択し、キャンセルしたい場合には、キャンセルボタン２９７を選択する。
【０１２１】
ステップＳ１３３において、入出力管理プログラム８１は、ユーザにより操作部５３から入力される、時刻を受け付ける。
【０１２２】
ステップＳ１３４において、入出力管理プログラム８１は、ＯＫボタン２９６が選択されたか否かを判定する。具体的には、ユーザにより、操作部５３に、ＯＫボタン２９６を選択する指令が入力されたか否かを判定する。勿論、ＯＫボタン２９６が選択されずに、キャンセルボタン２９７が選択される場合が考えられるが、いまの例の場合、選択されるボタンは、ＯＫボタン２９６のみで考える。この処理は、ＯＫボタン２９６が選択されるまで繰り返される。
【０１２３】
ＯＫボタンが２９６が選択されたと判定された場合、ステップＳ１３５において、番組録画設定プログラム８２は、入出力管理プログラム８１により取得されたダウンロード時刻を取得し、ダウンロード時刻を設定し、設定情報メモリ８５に記憶させる。例えば、ダウンロード時刻２９５に、「０８：００」が入力された場合、これを設定する。なお、この時刻は、現在の時刻が、入力された時刻より前であった場合、例えば、現在時刻が「０９：００」であった場合、次の日の「０８：００」をダウンロード時刻として設定し、現在の時刻が、入力された時刻より後であった場合、例えば、現在の時刻が「０５：００」であった場合、当日の「０８：００」を設定する。なお、いまの例の場合、時刻のみを設定するようにしているが、日時を指定することも、勿論可能である。
【０１２４】
ステップＳ１３６において、入出力管理プログラム８１は、接点１−Ａが、記録装置２の接点２−Ａに接続されているか、すなわち、記録装置２に携帯端末１が装着されているか否かを判定する。接点１−Ａが接点２−Ａに接続されていない（携帯端末１が記録装置２に装着されていない）と判定された場合、ステップＳ１３７において、入出力管理プログラム８１は、上述した図１２に示されるような、ベースステーションへの装着を促すメッセージをエラーメッセージとしてディスプレイ５８に出力し、表示させる。その後、処理はステップＳ１３６に戻り、同様の処理が繰り返される。すなわち、携帯端末１が記録装置２に装着されるまで繰り返される。
【０１２５】
ステップＳ１３６において、接点１−Ａが記録装置２の接点２−Ａに接続されている（携帯端末１が記録装置２に装着されている）と判定された場合、ステップＳ１３８において、入出力管理プログラム８１は、伝送インターフェース５６、接点１−Ａ、および接点２−Ａを介して、記録装置２との間の通信を開始する。
【０１２６】
ステップＳ１３９において、番組録画設定プログラム８２は、設定情報メモリ８５に記憶されている「ダウンロード時刻」を読み出し、入出力管理プログラム８１は、伝送インターフェース５６（および接点１−Ａ）を介して、「ダウンロード時刻」を送信する。このとき、携帯端末１のＩＤも一緒に送信する。記録装置２は、これを受信し、この携帯端末１のＩＤに対応するダウンロード時刻を設定する（後述する図１６のステップＳ１６３の処理）。
【０１２７】
図１６は、図１５の携帯端末１の処理に対応する、記録装置２におけるダウンロード時刻設定処理を説明するフローチャートである。
【０１２８】
ステップＳ１６１において、記録装置２の入出力管理プログラム１３１は、伝送インターフェース１０７および接点２−Ａを介して、携帯端末１からの接続を受け付ける。
【０１２９】
ステップＳ１６２において、入出力管理プログラム１３１は、携帯端末１から「ダウンロード時刻」と携帯端末１のＩＤを受信し（図１５のステップＳ１３９）、ステップＳ１６３において、録画予約設定プログラム１３３は、記録媒体１０２の録画予約情報フォルダ１８０にこれを記録させるとともに、録画予約設定プログラム１３３，録画再生プログラム１３５に「ダウンロード時刻」を登録する。勿論、一緒に携帯端末ＩＤも登録される。
【０１３０】
図１５と図１６の処理により、携帯端末１のユーザがダウンロードする予定の時刻とされる「ダウンロード時刻」を記録装置２に設定することができる。ダウンロード時刻は、ユーザが記録装置２から携帯端末１にコンテンツをダウンロードする予定の時刻（例えば、外出予定時刻より２０分前の時刻）であるので、記録装置２は、ダウンロード時刻に合わせて、コンテンツを録画したり、コンテンツを送信メモリ１０６に記憶させる。このとき、送信メモリ１０６の記憶容量は、ダウンロードの対象となる携帯端末１の携帯端末記憶媒体５５の記録容量に合わせられる。例えば、携帯端末記憶媒体５５の記録容量が２５６メガバイトとされる場合、送信メモリ１０６の記憶容量も、２５６メガバイトとされる。これにより、送信メモリ１０６に記憶されているコンテンツを携帯端末記憶媒体５５に送信した場合、記憶できないコンテンツが生じる等のエラーを防ぐことができる。
【０１３１】
すなわち、ダウンロード時刻より所定の時間（例えば、５分から１０分）だけ前に、送信メモリ１０６に送信する予定のコンテンツを記憶させることにより、携帯端末１に効率よくダウンロードを実行させるようにする。
【０１３２】
次に、図１８乃至図２３を参照して、携帯端末１と記録装置２における録画予約処理を説明する。
【０１３３】
最初に図１８と図１９のフローチャートを参照して、携帯端末１における録画予約処理を説明する。なお、この処理は、上述した図１５と図１６の処理の後に実行される処理である（すなわち、ダウンロード時刻が設定された後の処理である）。
【０１３４】
ステップＳ２０１において、入出力管理プログラム８１は、ジャンルを選択する信号が入力されたか否か、すなわち、ジャンルボタン２８３（例えば、図１３のジャンル２８３）が選択されたか否かを判定する。ジャンルボタン２８３が選択されていないと判定された場合、ステップＳ２０２において、入出力管理プログラム８１は、番組表２８１において、操作部５３に入力されるユーザが所望する番組の選択を受け、ステップＳ２０３において、入出力管理プログラム８１は、操作部５３に入力されるユーザによる予約の指令を受け付ける。
【０１３５】
なお、図１３の例の場合、いまの時刻以降に放送される番組（コンテンツ）に関するＥＰＧ情報しか表示されていないが、上述したように、記録装置２は、既に記録され、保存されているコンテンツの中から、携帯端末１のユーザが日常ダウンロードしている番組であって、今回携帯端末１がダウンロードできなかった番組、または、携帯端末１のユーザが過去に録画予約を行なったコンテンツのジャンルの中であって、記録されているコンテンツの番組リストや冒頭の映像から作成されたサムネイルなどを、記録されている番組の情報として、携帯端末１に送信しているので、ディスプレイ５８に、既に記録装置２に記録されているコンテンツを表示させて、選択させることもできる。
【０１３６】
すなわち、記録装置２は、ＥＰＧ情報に加えて、記録媒体１０２に記録されているコンテンツのサムネイル（動画でもよい）を、ダウンロード可能なコンテンツとして携帯端末１に供給している。
【０１３７】
携帯端末１の番組録画設定プログラム８２は、ステップＳ２０４において、ＥＰＧ情報メモリ８３から対応する番組（ステップＳ２０３の処理で選択された番組）のＥＰＧ情報を検索し、ＥＰＧ情報の番組データを、録画予約メモリ８４にコピーする。
【０１３８】
図１３において、番組が選択され、予約が指令されることにより、録画予約メモリ８４に対応する番組データがコピーされる。これにより、図１４において、予約表タグ２９１が選択された場合、ディスプレイ５８には、例えば、図２０に示されるように、予約表画面３５０が表示される。予約表画面３５０には、録画予約メモリ８４にコピーされた番組データの放送日時およびタイトルが表示され、番組表２８１に表示を戻すための番組表ボタン３５１が表示されている。
【０１３９】
ステップＳ２０１において、ジャンルを選択する信号が入力されたと判定された場合、処理はステップＳ２０５に進み、番組録画設定プログラム８２は、図２１に示されるような画面を表示させるデータを作成し、入出力管理プログラム８１は、供給されたデータに基づく画面をディスプレイ５８に表示させる。これにより、図２１に示されるような、ジャンル選択画面３３０が表示される。図２１の例の場合、ジャンル選択画面３３０には、朝のニュース３３１、経済ニュース３３２、スポーツニュース３３３、および連続ドラマ３３４のジャンルが表示されている。なお、ジャンルは、上述したジャンルに限らず、政治、娯楽、音楽、科学、およびバラエティ等、どのようなジャンルであってもよい。ユーザは、これらのジャンルの中から興味のあるジャンルを選択する。
【０１４０】
ステップＳ２０６において、入出力管理プログラム８１は、図２１に示されるジャンル選択画面３３０において、ユーザが所望する番組のジャンルの選択を示す信号の入力を受け、ステップＳ２０７において、ＥＰＧ情報メモリ８３から対応する番組のＥＰＧ情報を検索し、検索されたＥＰＧ情報の番組データを、録画予約メモリ８４にコピーする。
【０１４１】
これにより、ステップＳ２０４の処理と同様に、予約が行なわれ、図１４において予約表タグ２９１が選択された場合、ディスプレイ５８には、図２０に示される予約表画面３５０が表示される。
【０１４２】
以上の処理は、携帯端末１を記録装置２に装着しない状態で実施できるので、各ユーザは、効率的に入力を行なうことができる。
【０１４３】
ステップＳ２０４の処理の後、またはステップＳ２０７の処理の後、ステップＳ２０８において、番組録画設定プログラム８２は、入出力管理プログラム８１の処理により、伝送インターフェース５６が記録装置２と接続されているか否か（携帯端末１が記録装置２に装着されているか否か）を判定する。接続されていないと判定された場合、ステップＳ２０９において、入出力管理プログラム８１は、図１２に示されるような、ベースステーション（記録装置２）への装着を促すエラーメッセージをディスプレイ５８に出力し、表示させ、その後、処理はステップＳ２０８に戻り、携帯端末１が記録装置２に装着されるまで、同様の処理が繰り返される。
【０１４４】
ステップＳ２０８において、伝送インターフェース５６が接続されていると判定された場合、ステップＳ２１０において、入出力管理プログラム８１は、伝送インターフェース５６および接点１−Ａを介して、記録装置２と通信を開始する。
【０１４５】
ステップＳ２１１において、番組録画設定プログラム８２は、入出力管理プログラム８１の処理により、録画予約メモリ８４の登録内容（図２０に表示されている予約表画面３５０に基づくデータ、すなわち、録画予約内容）を、伝送インターフェース５６（並びに、接点１−Ａおよび接点２−Ａ）を介して、記録装置２に送信する。このとき、携帯端末１のＩＤも一緒に送信される。
【０１４６】
これに対して、記録装置２の入出力管理プログラム１３１は、接点２−Ａおよび伝送インターフェース１０７を介して、携帯端末１と通信し、前回の通信以降に実行された番組録画の履歴などの情報を、携帯端末１に送信してくる（後述する図２２のステップＳ２５１乃至ステップＳ２５３）。
【０１４７】
そこで、ステップＳ２１２において、番組録画設定プログラム８２は、入出力管理プログラム８１の処理により、伝送インターフェース５６を介して、記録装置２から、番組録画履歴などの情報（記録装置２が後述する図２２のステップＳ２５３において送信した情報）を受信し、ステップＳ２１３において、受信した番組録画履歴を基に、録画予約メモリ８４を更新する。
【０１４８】
例えば、現在、録画予約メモリ８４に記録されている番組データのうち、ステップＳ２５３において記録装置２が送信した番組録画履歴には、記録装置２の録画予約設定プログラム１３３による予約録画の状態を示す情報が含まれている。番組録画設定プログラム８２は、受信した情報を基に、録画予約メモリ８４を更新する。携帯端末１のユーザは、更新された予約表２０、および録画されたコンテンツのＥＰＧ情報（記録装置２に記憶されているコンテンツのＥＰＧ情報）を見ることができる為、記録装置２における録画状況を携帯端末１で知ることができる。
【０１４９】
次に、図１８と図１９の携帯端末１の処理に対応する、記録装置２における録画予約処理を図２２と図２３のフローチャートを参照して説明する。
【０１５０】
ステップＳ２５１において、入出力管理プログラム１３１は、伝送インターフェース１０７を介して、携帯端末１からの接続を受け付ける。
【０１５１】
携帯端末１は、図１９のステップＳ２１１において、録画予約内容を送信してくるので、記録装置２の入出力管理プログラム１３１は、ステップＳ２５２において、伝送インターフェース１０７および接点２−Ａを介して、携帯端末１から供給される録画予約内容を受信する。このとき、録画予約内容を送信してきた携帯端末１のＩＤも一緒に受信される。
【０１５２】
ステップＳ２５３において、入出力管理プログラム１３１は、携帯端末１のＩＤに対応する番組録画履歴などの情報を、記録媒体１０２の録画予約情報フォルダ１８０から取得し、伝送インターフェース１０７、および接点２−Ａを介して、携帯端末１に送信する。
【０１５３】
ステップＳ２５４において、録画予約内容（ステップＳ２５２の処理により受信した録画予約内容）に基づいて、録画予約設定プログラム１３３は、新たな録画予約情報を、携帯端末１のＩＤと関連付けて登録する。
【０１５４】
ステップＳ２５５において、録画予約設定プログラム１３３は、録画予約に登録されている時刻になったか否かを判断する。ステップＳ２５５において、録画予約に登録されている時刻になっていないと判断された場合、録画予約に登録されている時刻になったと判断されるまで、ステップＳ２５５の処理が繰り返される。
【０１５５】
ステップＳ２５５において、録画予約に登録されている時刻になったと判断された場合、ステップＳ２５６において、録画再生プログラム１３５は、自動録画処理、すなわち、所定のコンテンツを録画する処理を実行する。
【０１５６】
ステップＳ２５７において、入出力管理プログラム１３１は、ステップＳ１７４の処理により自動録画されたコンテンツ（番組）を取得し、このコンテンツを予約している携帯端末のＩＤに基づいて、記録媒体１０２の対応するファイルに記録させる。具体的には、いま自動録画したコンテンツを予約している携帯端末が携帯端末１−１とされる場合、入出力管理プログラム１３１は、例えば、図６の記録媒体１０２の個別フォルダ１８１−１に記憶させる。
【０１５７】
なお、自動録画したコンテンツを複数の携帯端末（例えば、携帯端末１−１と携帯端末１−３）が予約していた場合、入出力管理プログラム１３１は、対応する複数のフォルダ（個別フォルダ１８１−１と個別フォルダ１８１−３）にそれぞれ記録させる。
【０１５８】
ステップＳ２５８において、入出力管理プログラム１３１は、記録媒体１０２の個別フォルダ１８１−１乃至１８１−３の記憶領域が、対応する携帯端末１の携帯端末記憶媒体５５の容量を超えているか否かを判定する。上述したように、携帯端末１−１の携帯端末記憶媒体５５の容量と、個別フォルダ１８１−１の記録容量は、同一に設定されている。この処理は、記録装置２が、携帯端末１−１に対応する容量だけ、コンテンツを送信するために行なわれる。フォルダの容量が超えていないと判定された場合、処理は終了される。
【０１５９】
ステップＳ２５８において、フォルダの容量が超えていると判定された場合、ステップＳ２５９において、コンテンツ管理検索プログラム１３２は、対応する個別フォルダ１８１−ｉ（ｉ＝１，２，３）に関連付けられている携帯端末１の過去の予約記録ジャンルを記録媒体１０２の録画予約情報フォルダ１８０から検索する。いまの例の場合、携帯端末１−１の過去の予約記録ジャンルが検索される。
【０１６０】
ステップＳ２６０において、コンテンツ管理検索プログラム１３２は、検索した過去の情報に基づいて、個別フォルダ１８１−ｉに記録されているコンテンツの中から、優先順位を決定する。例えば、個別フォルダ１８１−１に、「朝のニュース」が１つと「経済ニュース」が２つ記録されており、ユーザの過去の予約記録ジャンルに、「経済ニュース」が最も多く含まれていた場合、コンテンツ管理検索プログラム１３２は、優先順位の上から順に、「経済ニュース」を２つ設定し、最後（３番目）に「朝のニュース」を設定する。
【０１６１】
ステップＳ２６１において、コンテンツ管理検索プログラム１３２は、ステップＳ２６０の処理により決定した優先順に基づいて、個別ファイル１８１−ｉの容量を調整する。これにより、個別ファイル１８１−ｉの記憶領域と、携帯端末記憶媒体５５の記録容量が合わせられる。具体的には、携帯端末記憶媒体５５の記録容量内のコンテンツのみが選択され、記憶される。
【０１６２】
ステップＳ２６２において、録画予約設定プログラム１３３は、記録媒体１０２の録画予約情報フォルダ１８０に記録されているダウンロードの時刻をチェックし、次のダウンロードの時刻を決定し、処理を終了する。
【０１６３】
いまの例の場合、記録装置２は、３台の携帯端末１−１乃至１−３にコンテンツを供給するようにしているので、３台の録画予約時刻、ダウンロード時刻を考慮して、次のダウンロード時刻を決定する。具体的には、携帯端末１−１により午前８：００にダウンロード時刻が設定され、携帯端末１−２により、同日の午前７：１０から午前７：３０までコンテンツの予約録画が設定されていた場合、録画予約設定プログラム１３３は、携帯端末１−２によるコンテンツの録画が終了した後、すなわち、午前７：３０以降であって、午前８：００より前にダウンロード時間を設定する。
【０１６４】
このような処理により、携帯端末１において録画予約メモリ８４に登録された録画予約のための情報が、記録装置２に送信され、記録装置２において、ユーザが所望する番組が録画される。
【０１６５】
記録装置２は、図２３のステップＳ２５８において、個別フォルダ１８１−ｉの容量が、設定されている容量（すなわち、対応する携帯端末１−ｉの容量）を超えているかを判定し、超えていた場合、容量を調整するようにしたので、記録装置２から携帯端末１にコンテンツをダウンロードする場合の容量オーバーなどのエラーを防ぐことができる。なお、この容量の調整により、所定のコンテンツは、今回のダウンロードの対象から外されるが、記録媒体１０２の全体フォルダ１８２には記録される（記録媒体１０２の容量が許す範囲で記録保管される）ので、記録装置２は、ユーザによる再度のダウンロードの要求、他のユーザからのダウンロードの要求に即座に応答することができる。
【０１６６】
なお、入出力管理プログラム１３１は、定期的に、記録媒体１０２の記録可能な容量（記憶容量）を管理し、不必要になったコンテンツを消去する。例えば、記録されている古いコンテンツから順に消去したり、使用者（携帯端末１−１乃至携帯端末１−３）の好みや傾向に合わせて優先順位を決定し、優先順位が低いものから順次消去する。これにより、ユーザ（携帯端末１のユーザ）は、記録容量を気にすることなく、連続的に使用することができる。また、このとき、消去されるコンテンツに対応する番組情報（ＥＰＧ情報を含む情報）も消去される。
【０１６７】
また、図２３のステップＳ２５９乃至ステップＳ２６１では、過去の予約記録状況から優先順位を決定するようにしたが、これに限らず、特定番組（是非みたい番組）等を指定できる機能を設け、ユーザにより指定された特定番組に基づいて、優先順位を決定するようにしても良い。
【０１６８】
次に、図２４と図２５のフローチャートを参照して、記録装置２が携帯端末１にコンテンツを伝送する処理を説明する。この処理は、上述した図１８，図１９，図２２、および図２３の処理の後に実行される処理、すなわち、携帯端末１から番組の予約表が記録装置２に送信され、記録装置２が予約表に基づいて自動録画処理を実行した後に実行される処理である。
【０１６９】
最初に、図２４のフローチャートを参照して、記録装置２におけるコンテンツ伝送処理を説明する。
【０１７０】
ステップＳ３０１において、コンテンツ管理検索プログラム１３２は、上述した図２３のステップＳ２６２の処理により設定されたダウンロード時刻が近づいてきたか否かを判定し、ダウンロード時刻が近づいてくるまで待機する。
【０１７１】
ステップＳ３０１において、ダウンロード時刻が近づいてきたと判定された場合、ステップＳ３０２において、入出力管理プログラム１３１は、対象となる携帯端末１に対応するフォルダ１８１−ｉ（記録媒体１０２に記録されている個別フォルダ１８１−ｉ）内のコンテンツを読み出し、送信メモリ１０６に記憶させる。
【０１７２】
具体的には、いま、ダウンロード時刻が近づいてきた携帯端末が携帯端末１−１とされる場合、入出力管理プログラム１３１は、記録媒体１０２に記録されている個別フォルダ１８１−１を読み出し、送信メモリ１０６に記憶させる。
【０１７３】
ステップＳ３０３において、入出力管理プログラム１３１は、対応する携帯端末１（いまの例の場合、携帯端末１−１）が接点２−Ａおよび接点１−Ａを介して接続されたか否かを判定する。対応する携帯端末１（携帯端末１−１）が接続されたと判定された場合、ステップＳ３０４において、入出力管理プログラム１３１は、送信メモリ１０６に記憶されているデータ（１個以上のコンテンツ）を、伝送インターフェース１０７および接点２−Ａを介して、携帯端末１（いまの例の場合、携帯端末１−１）に送信（転送）する。携帯端末１は、これを受信し（後述する図２５のステップＳ３３２）、記憶する（後述する図２５のステップＳ３３３）。
【０１７４】
また、ステップＳ３０３において、対応する携帯端末が接続されていないと判定された場合、ステップＳ３０８において、入出力管理プログラム１３１は、伝送インターフェース１０７および接点２−Ａを介して、他のＩＤ（ステップＳ３０１の処理において、ダウンロード時刻が近づいてきたとされる携帯端末１−１以外のＩＤ）の携帯端末１が接続されたか否かを判定する。他のＩＤの携帯端末１が接続されていないと判定された場合、ステップＳ３０３に戻り、それ以降の処理が繰り返される。すなわち、いずれかの携帯端末１が接続（装着）されるまで処理は繰り返される。
【０１７５】
ステップＳ３０８において、他のＩＤの携帯端末１（例えば、携帯端末１−２）が接続（装着）されたと判定された場合、ステップＳ３０９において、入出力管理プログラム１３１は、ステップＳ３０２の処理により、送信メモリ１０６に記憶されているコンテンツ（データ）を消去する。
【０１７６】
ステップＳ３１０において、入出力管理プログラム１３１は、伝送インターフェース１０７、接点２−Ａおよび接点１−Ａを介して接続されている携帯端末１（いまの例の場合、携帯端末１−２）に対応する個別フォルダ１８１−ｉ（いまの例の場合、個別フォルダ１８１−２）に記憶されているコンテンツ（データ）を取得し、送信メモリ１０６にコピーする。
【０１７７】
ステップＳ３１１において、入出力管理プログラム１３１は、送信メモリ１０６にコピーした（ステップＳ３１０）コンテンツ（データ）を、接点２−Ａおよび接点１−Ａを介して、装着（接続）されている携帯端末１（いまの例の場合、携帯端末１−２）に送信する。
【０１７８】
ステップＳ３０４の処理の後、または、ステップＳ３１１の処理の後、ステップＳ３０５において、入出力管理プログラム１３１は、送信メモリ１０６に記憶されているデータの送信が完了したか否かを判定し、送信が完了するまで待機する。
【０１７９】
ステップＳ３０５において、送信が完了したと判定された場合、入出力管理プログラム１３１は、送信メモリ１０６に記憶されているデータ（コンテンツ）を消去する。
【０１８０】
ステップＳ３０７において、入出力管理プログラム１３１は、いまダウンロードされたコンテンツ（送信メモリ１０６に記憶され、伝送インターフェース１０７を介して送信したコンテンツ）に対応するフォルダ１８１−ｉ（いまの例の場合、携帯端末１−１）に記録されているデータ（コンテンツ）を全て消去し、処理を終了する。
【０１８１】
次に、図２５のフローチャートを参照して、図２４の記録装置２の処理に対応する、携帯端末１におけるコンテンツ受信処理を説明する。
【０１８２】
ステップＳ３３１において、入出力管理プログラム８１は、伝送インターフェース５６、接点１−Ａおよび接点２−Ａを介して、記録装置２に装着されたか否かを判定し、記録装置２に装着されていないと判定されるまで待機される。
【０１８３】
ステップＳ３３１において、記録装置２に装着されたと判定された場合、接点１−Ａおよび接点２−Ａを介する通信が行なわれ、ステップＳ３３２において、入出力管理プログラム８１は、記録装置２の接点２−Ａ、携帯端末１の接点１−Ａを介して、記録装置２から供給されてきた（図２４のステップＳ３０４の処理）データを受信する。いまの例の場合、データは、記録媒体１０２の個別フォルダ１８１に保持されていたコンテンツとされる。
【０１８４】
ステップＳ３３３において、入出力管理プログラム８１は、受信したデータ（コンテンツ）を、コンテンツメモリ８６に記憶させ、処理を終了する。
【０１８５】
図２４および図２５処理により、記録装置２が、ダウンロード時刻が近づいてきた携帯端末１が、あらかじめ録画を予約していたコンテンツを、ダウンロード時刻の前に、送信メモリ１０６に一時的に記憶させ、ダウンロードに備えるようにしたので、ダウンロード時刻に接続した携帯端末１は、迅速にコンテンツをダウンロードすることができる。
【０１８６】
また、ダウンロード時刻が近づいてきた携帯端末１−１とは関係ない他の携帯端末、例えば、携帯端末１−２が、記録装置２に接続したきた場合においても、記録装置２は、送信メモリ１０６を消去し、対応する個別フォルダ１８１−２に記録されているコンテンツを読み出して送信することができる。
【０１８７】
このように、個別フォルダ１８１−ｉの記憶領域を、対応する携帯端末１−ｉの記録容量に揃えるようにしたので、携帯端末１を所有するユーザは、自分でダウンロードする容量等を気にする必要はなく、もって容易なシステムを確立することができる。
【０１８８】
また、個別フォルダ１８１−ｉの容量を超えたコンテンツは、全体フォルダ１８２に記録されるので、ユーザによる再度のダウンロードの要求や、他のユーザ（携帯端末１を所有するユーザ）の要求があった場合に、再度ダウンロードする必要がなく、記録装置２の負担を減らすことができる。
【０１８９】
さらに、携帯端末１のユーザは、記録装置２にダウンロードしたいコンテンツを指定する必要もなく、記録装置２に携帯端末１を装着するだけで、コンテンツをダウンロードでき、もって、操作を簡単にすることができる。
【０１９０】
なお、ダウンロード時刻が近づき、図２４のステップＳ３０２の処理により送信メモリ１０６にコンテンツが送信された後であって、実際にダウンロードされるまでの間（ステップＳ３０４またはステップＳ３１１までの間）に、新たに録画されているコンテンツがあった場合、入出力管理プログラム１３１は、直接送信メモリ１０６に記憶させるようにしてもよい。この場合、入出力管理プログラム１３１は、送信メモリ１０６の容量が、対応する携帯端末１の携帯端末記憶媒体５５の容量を超えた場合、古いコンテンツを送信メモリ１０６から順次消去する（送信メモリ１０６は、例えば、ＦＩＦＯ（Ｆｉｒｓｔ−Ｉｎ  Ｆｉｒｓｔ−Ｏｕｔ）メモリとされる）。
【０１９１】
これにより、ダウンロードを希望する時刻までに、常に最新の番組（コンテンツ）を送信メモリ１０６に記憶させることができるので、記録装置２は、ダウンロードの準備をすることができる。
【０１９２】
実際には、図１５と図１６の処理により設定されたダウンロード予定時刻に対して、ダウンロード時刻が早くなったり、遅くなることも考えられるが、以上のような方法により、最新の番組（コンテンツ）をユーザに提供することができる。
【０１９３】
また、ダウンロードする時刻より前に、送信メモリ１０６にコンテンツを記憶させるようにしたので、ダウンロードする伝送速度は、最良の状態とすることができ、短時間に伝送（ダウンロード）することが可能となる。
【０１９４】
さらに、携帯端末記憶媒体５５、および送信メモリ１０６をＤＲＡＭ（２５６ｋｂｐｓ）としたので、迅速にコンテンツをダウンロードさせることができる。例えば、２時間番組（コンテンツ）の容量が２５６メガバイトとされ、画面サイズがＶＧＡ（Ｖｉｄｅｏ  Ｇｒａｐｈｉｃｓ  Ａｒｒａｙ）の１／４とされるようなポータブルＶＧＡとされる場合、ＭＰＥＧ４の方式により２５６Ｍｂｐｓで圧縮されたコンテンツは、２秒から４秒でダウンロードされる。
【０１９５】
具体的には、テレビジョン番組が２時間録画され、録画された番組に対応するコンテンツデータの映像が１９２ｋｂｐｓ、音声が６４ｋｂｐｓでそれぞれ圧縮された場合、コンテンツデータのデータ量は、約２３０．４ＭＢ（メガバイト）とされる。ＩＥＥＥ１３９４  Ｓ８００の規格により通信が行なわれた場合、実際の転送速度は、約４８０Ｍｂｐｓ（＝６０ＭＢ／ｓ）とされる（規格上では、８００Ｍｂｐｓの速度で通信が行なわれるが、通信上のオーバーヘッドが考慮されると実効的にはその６割、すなわち、約４８０Ｍｂｐｓ（＝６０ＭＢ／ｓ）の転送速度とされる）ので、このコンテンツデータは、４秒以下で転送される。
【０１９６】
また、例えば、同じコンテンツデータ（２時間のテレビジョン番組に対応するコンテンツデータ）が、ＩＥＥＥ１３９４  Ｓ１６００の規格による通信により転送される場合、実際の転送速度は、約９６０Ｍｂｐｓ（＝１２０ＭＢ／ｓ）とされるので、このコンテンツデータは、２秒以下で転送される。
【０１９７】
さらに、コンテンツデータが音声のみとされる場合（ラジオ番組とされる場合）、コンテンツデータの容量はテレビジョン番組の１／４とされるので、転送時間も１／４の時間とされる。
【０１９８】
記録装置２のＯＳ（Ｏｐｅｒａｔｉｎｇ  Ｓｙｓｔｅｍｓ）は、マイクロアイトロンを使用しており、汎用のＯＳであるので、処理速度、伝送速度が遅い。しかしながら、ダウンロードされるまでの時間、すなわち、ダウンロード時刻を設定し、ダウンロード時刻までに、コンテンツを自動的に記録することにより、ダウンロードする時間を迅速にすることができる。
【０１９９】
また、複数の携帯端末１に対応するフォルダを作成するようにしたので、記録装置２を複数の携帯端末１により共有することができる。
【０２００】
なお、いまの例では、図２３のステップＳ２５８において、記録装置２が、個別フォルダ１８１−ｉの容量が、設定されている容量（すなわち、対応する携帯端末１−ｉの容量）を超えているかを判定し、超えていた場合、容量を調整することにより、個別フォルダ１８１−ｉの記録容量を、対応する携帯端末１−ｉの記憶容量に合わせるようにしたが、個別フォルダ１８１−ｉに設定されている容量より多い容量のコンテンツが記録されていた場合、送信メモリにコンテンツをコピーするとき、映像圧縮率を変更して、容量内に収まるように調整するようにしてもよい。
【０２０１】
なお、携帯端末１を所有しているユーザが、予約表を登録せずに、ダウンロード時刻のみを設定している場合、記録装置２は、自動的に、ユーザの好みのコンテンツを記録しておくことができる。その例を、図２６のフローチャートを参照して説明する。なお、この処理は、図１５と図１６の処理で、携帯端末１により、記録装置２にダウンロード時刻が設定された後、実行される処理であって、記録装置２により定期的に実行される処理である。
【０２０２】
ステップＳ３５１において、録画予約設定プログラム１３３は、登録されている全ての携帯端末１−１乃至１−３に対応する予約表が記録媒体１０２の録画予約情報フォルダ１８０に登録されているか否かを判定する。予約表が登録されていない携帯端末１が１つでもあった場合、ＮＯと判定される。
【０２０３】
全ての携帯端末１−１乃至１−３に対応する予約表が登録されていない（すなわち、１つでも予約表が登録されていない携帯端末１が存在する）と判定された場合、ステップＳ３５２において、録画予約設定プログラム１３３は、予約表が登録されておらず、ダウンロード時刻が登録されている携帯端末１があるか否かを判定する。
【０２０４】
予約表が登録されておらず、ダウンロード時刻が登録されている携帯端末１があると判定された場合、ステップＳ３５３において、録画予約設定プログラム１３３は、該当する携帯端末１の過去の予約記録があるか否かを判定する。具体的には、記録媒体１０２の録画予約情報フォルダ１８０が検索される。例えば、予約表が登録されていない携帯端末１が携帯端末１−２とされ、携帯端末１−２のダウンロード時刻が登録されていた場合、録画予約設定プログラム１３３は、携帯端末１−２の過去の予約記録があるか否かを判定する。
【０２０５】
過去の予約記録があると判定された場合、ステップＳ３５４において、録画予約設定プログラム１３３は、記録媒体１０２の録画予約情報フォルダ１８０から、対応する携帯端末１−２の過去の予約記録のジャンルを検索する。
【０２０６】
ステップＳ３５５において、録画予約設定プログラム１３３は、過去の予約記録のジャンルの頻度の高さに基づいて、優先順位のジャンルを決定する。例えば、「連続ドラマ」のジャンルの頻度が一番高い場合、「連続ドラマ」のジャンルを一番に優先する、などを決定する。
【０２０７】
ステップＳ３５６において、録画予約設定プログラム１３３は、ＥＰＧ情報に基づいて、ダウンロード時刻より前に放送される番組とされる番組の中から、優先順位に基づいて、該当する番組を抽出し、録画予約を行なう。例えば、ダウンロード時刻が「２２：００」とされ、現在時刻が「２０：００」とされる場合、２０：００から２２：００の間であって「連続ドラマ」のジャンルの番組の録画予約が行なわれる。なお、過去の予約記録に、「連続ドラマ」のジャンルの同じ番組があった場合、すなわち、前回記録したドラマの続きの回の番組があった場合、録画予約設定プログラム１３３は、これを優先的に予約録画するようにする。
【０２０８】
ステップＳ３５３において、過去の予約記録がないと判定された場合、ステップＳ３５７において、録画予約設定プログラム１３３は、お勧め番組を予約し、処理を終了する。お勧め番組は、他の携帯端末１により録画予約されている番組であってもよいし、記録装置２を販売しているメーカが協賛する番組であってもよい。
【０２０９】
ステップＳ３５６の処理の後、またはステップＳ３５７の処理の後、処理は終了される。
【０２１０】
図２６の処理により、携帯端末１のユーザによりダウンロード時刻が設定されていれば、予約表が登録されていない場合でも、記録装置２は、対応する携帯端末１の過去の予約記録に基づいて、録画予約を行なうようにしたので、携帯端末１のユーザは、録画予約をしていない場合でも、自分の好みのコンテンツを、記録装置２からダウンロードすることができる。
【０２１１】
このようにして、録画予約が行なわれたコンテンツは、記録装置２により自動録画が行なわれ、対応する個別フォルダ１８１−ｉに記録される。そして、ダウンロード時刻より前に、記録装置２の送信メモリ１０６にコピーされ（図２４のステップＳ３０２）、記録装置２と携帯端末１が接続されたとき（図２４のステップＳ３０３）、送信メモリ１０６に記憶されているコンテンツが携帯端末１に伝送される。これにより、携帯端末１は効率よくコンテンツをダウンロードすることができる。
【０２１２】
次に、図２７のフローチャートを参照して、携帯端末１が記録装置２からダウンロードしたコンテンツを再生する処理を説明する。なお、この処理は、携帯端末１が記録装置２からコンテンツをダウンロードした後、すなわち、図２４と図２５の処理の後に、ユーザが、携帯端末１を記録装置２から離脱して、実行される処理である。
【０２１３】
ステップＳ４０１において、携帯端末１の番組録画設定プログラム８２は、入出力管理プログラム８１の処理により、操作部５３から入力される、コンテンツデータの再生モードへの移行指示の入力を受け付ける。具体的には、図１４のコンテンツ再生タグ２９３の選択が受け付けられる。
【０２１４】
ステップＳ４０２において、録画再生プログラム１３５は、図２８に示されるようなコンテンツデータ再生指示画面を生成し、入出力管理プログラム８１は、ディスプレイ５８に、再生指示画面を表示させる。再生指示画面には、再生可能なコンテンツ（図２４の処理によりダウンロードしたコンテンツ）に対応するアイコン郡４５１が表示され、さらに、選択したコンテンツを削除するための削除ボタン４５２が表示されている。
【０２１５】
この表示されるコンテンツは、携帯端末１の携帯端末記憶媒体５５に既に記録されているコンテンツであるので、上述した図１８のステップＳ２０２の処理により、番組上画面（図１３または図１４）に表示されている番組とは異なる。すなわち、図１８のステップＳ２０２では、記録可能な、すなわち、いまの時刻以降のＥＰＧ情報、および既に記録装置２に記録されているコンテンツが表示され、ステップＳ４０２では、携帯端末１に記録され、再生可能なコンテンツが表示されている。
【０２１６】
ユーザは、一覧表示されているコンテンツに対応するアイコンのうち、所望のコンテンツに対応するアイコンを選択する。
【０２１７】
そこで、ステップＳ４０３において、番組録画設定プログラム８２は、入出力管理プログラム８１の処理により、操作部５３から入力される、コンテンツに対応するアイコンの選択を示す信号（すなわち、アイコン郡４５１の中の、いずれか１つのアイコンが選択されたことを示す信号）の入力を受ける。
【０２１８】
ステップＳ４０４において、番組録画設定プログラム８２は、選択されたコンテンツデータ（アイコン）を削除する指令が入力されたか否かを判定する。具体的には、ステップＳ４０３の処理により、所定のアイコンが選択された後、削除ボタン４５２が選択されたか否かが判定される。
【０２１９】
ステップＳ４０４において、コンテンツデータを削除する指令がされていないと判定された場合（すなわち、再生する指令がされた場合）、ステップＳ４０５において、番組録画設定プログラム８２は、ステップＳ４０３の処理により選択されたコンテンツデータ（アイコンに対応するコンテンツのデータ）を、動画表示プログラム８７に供給し、入出力管理プログラム８１の処理により、ユーザの操作に従って、対応するコンテンツデータをディスプレイ５８に出力させ、再生させる。コンテンツデータの再生により、ディスプレイ５８には、図２９に示されるような再生画面４６１が表示される。
【０２２０】
ステップＳ４０４において、コンテンツデータを削除する指令がされたと判定された場合、ステップＳ４０６において、番組録画設定プログラム８２は、ステップＳ４０３の処理により選択されたアイコンに対応するコンテンツのデータを削除し、処理は終了される。
【０２２１】
図２７を用いて説明した処理により、記録装置２に蓄積されたコンテンツを、携帯端末１を用いて再生することができるので、例えば、移動中の電車の中などでも、コンテンツを再生して楽しむことができる。
【０２２２】
なお、図２７の例では、再生が指令されたとき、携帯端末１が再生を開始するようにしたが、単に、図２４と図２５の処理の後、記録装置２から携帯端末１が離脱されたとき、携帯端末１のコンテンツメモリ８６に記憶されたコンテンツを読み出させる（再生させる）ようにしてもよい。
【０２２３】
なお、以上の例では、携帯端末１を３台設け、記録装置２がＩＤにより区別するようにしたが、携帯端末１は、１台であっても良いし、それ以上であってもよい。このような構成とすることで、例えば、１台の記録装置２を、家族のそれぞれに割り当てられたと複数台の携帯端末１で共通に使用することができる。いまの例では、携帯端末１のＩＤ，個別フォルダ１８１が予め設定されていたが、携帯端末１が増えた場合、新たに登録することも勿論可能である。
【０２２４】
また、以上の例では、携帯端末について説明したが、ＰＤＡ等の、動画や音声を再生可能な全ての携帯型情報端末装置に適用することができる。
【０２２５】
さらに、記憶装置に限らず、情報を処理する全ての情報処理装置に適用することができる。
【０２２６】
また、伝送されるデータは、映像と音声からなるテレビジョン放送番組等のコンテンツであってもよいし、ラジオ放送等の音声のみより構成されるコンテンツであってもよい。さらに、映像のみより構成されるコンテンツでもよい。
【０２２７】
また、携帯端末１のみで、録画予約をするだけでなく、記録装置２の操作部１０８に入力することで、ユーザは録画を予約することができる。
【０２２８】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム格納媒体からインストールされる。
【０２２９】
コンピュータにインストールされ、コンピュータによって実行可能な状態とされるプログラムを格納するプログラム格納媒体は、図４に示されるように、コンピュータとは別に、ユーザにプログラムを提供するために配布される、プログラムが記録されているリムーバブルメディア１２１よりなるパッケージメディアにより構成されるだけでなく、装置本体に予め組み込まれた状態でユーザに提供される、プログラムが記録されている記録媒体１０２が含まれるハードディスクなどで構成される。プログラム格納媒体へのプログラムの格納は、必要に応じてルータ、モデムなどのインターフェースを介して、公衆回線網、ローカルエリアネットワーク、インターネット４、デジタル衛星放送といった、有線または無線の通信媒体を利用して行われる。
【０２３０】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０２３１】
また、本明細書において、システムとは、複数の装置により構成される装置全体を表すものである。
【０２３２】
【発明の効果】
第１の本発明によれば、携帯型情報端末装置がコンテンツデータを再生することができる。特に、本発明によれば、携帯型情報端末装置にコンテンツデータを迅速に供給することができる。また、携帯型情報端末装置を情報処理装置に装着するだけで、コンテンツデータを携帯型情報端末装置に転送することができる。
【０２３３】
第２の本発明によれば、携帯型情報端末装置にコンテンツデータを迅速に供給することができる。特に、本発明によれば、携帯型情報端末装置が装着されたとき、携帯型情報端末装置にコンテンツデータを転送することができる。
【０２３４】
第３の本発明によれば、携帯型情報端末装置がコンテンツデータを再生することができる。特に、本発明によれば、携帯型情報端末装置を情報処理装置に装着するだけで、コンテンツデータを携帯型情報端末装置に転送することができる。
【図面の簡単な説明】
【図１】本発明に係る番組データ取得システムの一実施の形態の構成例を示す図である。
【図２】図１の携帯端末の構成例を示すブロック図である。
【図３】図１の携帯端末の機能ブロック図である。
【図４】図１の記録装置の構成例を示すブロック図である。
【図５】図１の記録装置の機能ブロック図である。
【図６】図８の記録媒体に記録されるデータの一例を説明する図である。
【図７】図８の記録媒体に記録されるデータの一例を説明する図である。
【図８】記録装置におけるＥＰＧ情報取得処理を説明するフローチャートである。
【図９】番組情報提供装置におけるＥＰＧ情報取得処理を説明するフローチャートである。
【図１０】携帯端末におけるＥＰＧ情報取得処理を説明するフローチャートである。
【図１１】記録装置におけるＥＰＧ情報提供処理を説明するフローチャートである。
【図１２】携帯端末の表示画面例を説明する図である。
【図１３】番組表画面の表示例を示す図である。
【図１４】番組表画面のメニュー表示について説明するための図である。
【図１５】携帯端末におけるダウンロード時刻設定処理を説明するフローチャートである。
【図１６】記録装置におけるダウンロード時刻設定処理を説明するフローチャートである。
【図１７】ダウンロード時刻設定画面の表示例を示す図である。
【図１８】携帯端末における録画予約処理を説明するフローチャートである。
【図１９】携帯端末における録画予約処理を説明するフローチャートである。
【図２０】予約表画面の表示例を示す図である。
【図２１】ジャンル選択画面の表示例を示す図である。
【図２２】記録装置における録画予約処理を説明するフローチャートである。
【図２３】記録装置における録画予約処理を説明するフローチャートである。
【図２４】記録装置におけるコンテンツ伝送処理を説明するフローチャートである。
【図２５】携帯端末におけるコンテンツ受信処理を説明するフローチャートである。
【図２６】記録装置における録画予約処理を説明するフローチャートである。
【図２７】携帯端末におけるコンテンツ再生処理を説明するフローチャートである。
【図２８】再生可能なコンテンツデータに対応するアイコンが表示された画面の表示例を示す図である。
【図２９】再生されたコンテンツの表示例を示す図である。
【符号の説明】
１  携帯端末，  ２  記録装置，  ４  インターネット，  ５  放送局，  ６番組情報提供装置，  ５５  携帯端末記憶媒体，  ５６  伝送インターフェース，  ５８  ディスプレイ，  ８２  番組録画設定プログラム，  ８３  ＥＰＧ情報メモリ，  ８４  録画予約メモリ，  ８５  設定情報メモリ，  ８６  コンテンツメモリ，  １０２  記録媒体，  １０６  送信メモリ，  １０７  伝送インターフェース，  １３１  入出力管理プログラム１３１，  １３２  コンテンツ管理検索プログラム，  １３３  録画予約設定プログラム，  １３４  ＥＰＧ情報管理検索プログラム，  １３５  録画再生プログラム，  １８０  録画予約情報フォルダ，  １８１−１乃至１８１−３  個別フォルダ，  １８２  全体フォルダ，  １８３  ＥＰＧ情報フォルダ
【図１】
2004254143.tif 000003
【図２】
2004254143.tif 000004
【図３】
2004254143.tif 000005
【図４】
2004254143.tif 000006
【図５】
2004254143.tif 000007
【図６】
2004254143.tif 000008
【図７】
2004254143.tif 000009
【図８】
2004254143.tif 000010
【図９】
2004254143.tif 000011
【図１０】
2004254143.tif 000012
【図１１】
2004254143.tif 000013
【図１２】
2004254143.tif 000014
【図１３】
2004254143.tif 000015
【図１４】
2004254143.tif 000016
【図１５】
2004254143.tif 000017
【図１６】
2004254143.tif 000018
【図１７】
2004254143.tif 000019
【図１８】
2004254143.tif 000020
【図１９】
2004254143.tif 000021
【図２０】
2004254143.tif 000022
【図２１】
2004254143.tif 000023
【図２２】
2004254143.tif 000024
【図２３】
2004254143.tif 000025
【図２４】
2004254143.tif 000026
【図２５】
2004254143.tif 000027
【図２６】
2004254143.tif 000028
【図２７】
2004254143.tif 000029
【図２８】
2004254143.tif 000030
【図２９】
2004254143.tif 000031